(57)【要約】  本発明は家庭用器具、特に冷蔵庫又は冷凍庫又は家具に関し、少なくとも１つの格納空間(１３、２４)を有し、該格納空間内にベアリング領域(５)を有する少なくとも１つのキャリアプレート(３)、及びキャリアプレート(３)のベアリング領域(５)上を回転移動可能且つ並進移動可能である棚(２)が配置され、棚(２)は平坦なベアリング領域(４)を有し、該ベアリング領域(４)はキャリアプレート(３)のベアリング領域(５)と面平行に整列され、棚(２)はキャリアプレート(３)に対して第１の回転方向(Ｒ１)に回転可能であり、所定の方向(Ａ)に変位可能である。ベアリング領域(４、５)のベアリング面は互いに対向し、夫々が閉じた周辺走行溝(４４、４５、５１)を有し、該走行溝内をローラ本体(６)が案内され、  ベアリング領域(５)の平面で規定された方向(Ａ)に力が棚(２)に作用する場合、棚(２)はベース位置から中間位置内へ、少なくとも一部が積極的にガイドされ、同時に回転及び並進運動で移動可能であるように走行溝(４４、４５、５１)は形成されて、棚(２)は２つの可能な反対の回転方向(Ｒ１、Ｒ２)の１つにキャリアプレート(３)に対して回転し、所定の方向(Ａ)に移動し、棚(２)は中間位置に移動した後、２つの可能な反対の回転方向(Ｒ１、Ｒ２)の何れかでキャリアプレート(３)に対して旋回されて、棚(２)は、所定の方向(Ａ)とは反対に変位可能であり、１８０°の旋回時に再びベース位置を占有する。【選択図】図１
2020516838.tif 000002
【特許請求の範囲】
【請求項１】
少なくとも１つの格納空間(１３、２４)を有し、該格納空間内にベアリング領域(５)を有する少なくとも１つのキャリアプレート(３)、及びキャリアプレート(３)のベアリング領域(５)上を回転移動可能且つ並進移動可能である棚(２)が配置され、棚(２)は平坦なベアリング領域(４)を有し、該ベアリング領域(４)はキャリアプレート(３)のベアリング領域(５)と面平行に整列され、棚(２)はキャリアプレート(３)に対して第１の回転方向(Ｒ１)に回転可能であり、所定の方向(Ａ)に変位可能である家庭用器具、特に冷蔵庫又は冷凍庫又は家具において、
ベアリング領域(４、５)のベアリング面は互いに対向し、夫々が閉じた周辺走行溝(４４、４５、５１)を有し、該走行溝内をローラ本体(６)が案内され、
ベアリング領域(５)の平面で規定された方向(Ａ)に力が棚(２)に作用する場合、棚(２)はベース位置から中間位置内へ、少なくとも一部が積極的にガイドされ、同時に回転及び並進運動で移動可能であるように走行溝(４４、４５、５１)は形成されて、棚(２)は２つの可能な反対の回転方向(Ｒ１、Ｒ２)の１つにキャリアプレート(３)に対して回転し、所定の方向(Ａ)に移動し、
棚(２)は中間位置に移動した後、２つの可能な反対の回転方向(Ｒ１、Ｒ２)の何れかでキャリアプレート(３)に対して旋回可能であり、棚(２)は、所定の方向(Ａ)とは反対に変位可能であり、１８０°の旋回時に再びベース位置を占有する、家庭用器具又は家具。
【請求項２】
２つの閉じた周辺走行溝(４４、４５)がベアリング領域(４)の１つに導入され、正確には１つの閉じた周辺走行溝(５１)が他のベアリング領域(５)に導入される、請求項１に記載の家庭用器具又は家具。
【請求項３】
ローラ本体(６)は、ボールとして形成される、請求項１又は２に記載の家庭用器具又は家具。
【請求項４】
互いに離れて位置する４つのローラ本体(６)が走行溝(４４、４５、５１)にガイドされる、請求項１乃至３の何れかに記載の家庭用器具又は家具。
【請求項５】
ローラ本体(６)は、ローラ本体ケージ(７)に、好ましくは拘束されて保持される、請求項１乃至４の何れかに記載の家庭用器具又は家具。
【請求項６】
ベアリング領域(４、５)は、夫々キャリアプレート(３)又は棚(２)と一体に形成されている、請求項１乃至５の何れかに記載の家庭用器具又は家具。
【請求項７】
少なくとも１つのベアリング領域(４、５)は、キャリアプレート(３)又は棚(２)に対応して形成された受け部に挿入可能な別個の要素として形成され、又は接続手段によって夫々キャリアプレート(３)又は棚(２)に取り付け可能な別個の要素として形成された、請求項１乃至６の何れかに記載の家庭用器具又は家具。
【請求項８】
ガイド(８)が１つのベアリング領域(４、５)に配置され、ガイド及び保持要素(９)が他のベアリング領域(４、５)内又はベアリング領域(４、５)上に配置された、請求項１乃至６の何れかに記載の家庭用器具又は家具。
【請求項９】
閉じた周辺走行溝(４４、４５、５１)は、夫々棚(２)の軸受領域(４)及びキャリアプレート(３)の軸受領域(５)の中心点の周りに、棚(２)の並進移動の方向(Ａ)にキャリアプレート(３)の前縁まで導入される、請求項１乃至８の何れかに記載の家庭用器具又は家具。
【請求項１０】
閉じた周辺走行溝(４４、５１)は、ベース位置にてローラ本体(６)用に複数のキャッチポイント(４３、５３)を有し、棚(２)が１８０°回転するごとに到達する、請求項１乃至９の何れかに記載の家庭用器具又は家具。
【請求項１１】
棚(２)は、移動全域に亘って棚(２)の並進運動の方向(Ａ)の反対側のキャリアプレート(３)の後端からはみ出さない、請求項１乃至１０の何れかに記載の家庭用器具又は家具。
【請求項１２】
キャリアプレート(３)は、格納空間内に横向きに設置するか、吊下げまたは垂直に立てることができる、請求項１乃至１１の何れかに記載の家庭用器具又は家具。
【請求項１３】
キャリアプレート(３)は、格納空間又は格納面に固定されている、請求項１乃至１２の何れかに記載の家庭用器具又は家具。
【請求項１４】
棚(２)は、複数のベアリング領域、好ましくは２つのベアリング領域を有し、１以上のキャリアプレート(３)と相互作用する、請求項１乃至１３の何れかに記載の家庭用器具又は家具。
【発明の詳細な説明】
【技術分野】
【０００１】
本発明は、少なくとも１つの格納空間又は格納面を有する家庭用器具、特に冷蔵庫又は冷凍庫、又は家具に関し、該格納空間又は格納面内、又は格納空間又は格納面上にて、ベアリング領域を有する少なくとも１つのキャリアプレート、及びキャリアプレートのベアリング領域上を回転移動可能且つ並進移動可能である棚が、請求項１の前提部分に従って配置される。
【背景技術】
【０００２】
家庭用器具、例えば冷蔵庫又は冷凍庫及び/又は戸棚において、到達が困難な領域は、多くの場合、格納空間又は格納面に存在する。特に、格納空間又は格納面の後方領域に置かれた物体に到達する能力は、非常に限られた範囲でのみ可能である。例えば、人の頭の高さより上または膝の高さより下など、特にユーザーフレンドリーでない方法で配置された格納空間は、到達するのに必ず困難を伴う。
この格納空間又は格納面に設置されたターンテーブルを回したり、回転させたりすることは、これらの上記の不利な点を改善するのに合理的である。
【０００３】
従来技術から公知の家庭用器具又は家具では、主に順次回転運動と並進運動が互いに組み合わされ、これらの２種類の動きは、通常、互いに別々に、及び/又は連続して実行される。このような解決策は非常に技術的に複雑である。この場合、回転運動はしばしば制限された範囲でのみ、特に９０°だけ可能であり、これはそのような格納空間又は格納面に置かれた要素のアクセス可能性をさらに妨げる。更に、数多くの解決策は、支持力の吸収と安定性と大きな構造高さにて、弱点を持っている。
【０００４】
本発明の目的は、少なくとも１つの格納空間又は少なくとも１つの格納面を有する改良された家庭用器具、特に冷蔵庫又は冷凍庫、又は家具を提供することにあり、該格納空間又は格納面内、又は格納空間又は格納面上にて、ベアリング領域を有する少なくとも１つのキャリアプレート、及びキャリアプレートのベアリング領域上を回転移動可能且つ並進移動可能である棚が配置され、これを用いて上記の不利な点が改善される。
【発明の概要】
【０００５】
この目的は、少なくとも１つの格納空間又は少なくとも１つの格納面を有する請求項１の特徴を有する家庭用器具、特に冷蔵庫又は冷凍庫、又は家具によって達成され、該格納空間又は格納面内、又は格納空間又は格納面上にて、ベアリング領域を有する少なくとも１つのキャリアプレート、及びキャリアプレートのベアリング領域上を回転移動可能且つ並進移動可能である棚が配置されている。
【０００６】
本発明に従って、家庭用器具、特に冷蔵庫又は冷凍庫又は家具は、少なくとも１つの格納空間を有し、該格納空間内にベアリング領域を有する少なくとも１つのキャリアプレート、及びキャリアプレートのベアリング領域上を回転移動可能且つ並進移動可能である棚が配置されている。棚は平坦なベアリング領域を有し、該ベアリング領域はキャリアプレートのベアリング領域と面平行に整列され、棚はキャリアプレートに対して第１の回転方向に回転可能であり、所定の方向に変位可能である。本発明に従った家庭用器具、特に冷蔵庫又は冷凍庫、又は家具は、ベアリング領域のベアリング面が互いに対向し、夫々が閉じた周辺走行溝を有し、該走行溝内をローラ本体が案内される。
【０００７】
ベアリング領域の平面で規定された方向に力が棚に作用する場合、棚はベース位置から中間位置を介して、積極的にガイドされ、同時に回転及び並進運動で移動可能であるように走行溝は形成されて、棚は２つの可能な反対の回転方向の１つにキャリアプレートに対して回転し、所定の方向に移動し、棚はさらに中間位置に移動した後、２つの可能な反対の回転方向の何れかでキャリアプレートに対して旋回可能であり、棚は所定の方向とは反対に変位可能であり、１８０°の旋回時に再びベース位置を占有する。１つの有利な中間位置は、約９０°に位置している。棚はキャリアプレートに対して任意の角度だけ回転できる。
【０００８】
棚とキャリアプレートの間にて、積極的にガイドされた同時の回転及び並進運動は、ベース位置と中間位置に達する直前の範囲に存在することが好ましく、２つの可能な反対の回転方向の夫々にて９０°が有利である。また、キャリアプレートに対する棚の９０°の位置の範囲で、１回だけの回転運動が可能である。
【０００９】
同時の回転及び並進運動を少なくとも部分的に可能にする周辺走行溝を備えたベアリング領域のベアリング面故に、棚はキャリアプレート上を簡単な方法で移動可能である。
棚の下側とキャリアプレートの上側に閉じた周辺走行溝を導入することによるこの配置の単純な構造により、生産コストが削減され、装置の堅牢性が高められ、操作がユーザフレンドリーになる。従って、格納空間又は格納面の後部領域に配置された要素に到達する能力が改善される。
【００１０】
本発明の実施形態の有利な変形例に従って、２つの閉じた周辺走行溝がベアリング領域の１つ内に導入され、正確には１つの閉じた周辺走行溝がベアリング領域の他方内に導入される。
この場合、３つの走行溝の夫々は、特に好ましくは同じ輪郭を有し、２つの走行溝の１つは他の走行溝に対して鏡面に形成され、２つの走行溝の他方は、１８０°回転して形成され、２つの走行溝の一方に対して所定量だけ変位される。
【００１１】
このような走行溝の輪郭を使用して、操作が簡単なキャリアプレートに対する棚の回転と並進の同時移動が可能になる。
好ましい実施形態の変形例によれば、ローラ本体はボールとして形成されており、これにより、キャリアプレートに対する棚の低摩擦の相対運動が可能になる。
単純な走行溝の構成を維持しながら個々のローラ本体に支持荷重をかけることができるように、４つのローラ本体が走行溝に案内されることが好ましい。
【００１２】
本発明の実施形態の好ましい変形例に従って、ローラ本体は、ローラ本体ケージ内に、好ましくは拘束的に保持される。従って、走行溝内を移動中のローラ本体の確実な案内が再び改善される。
本発明の実施形態の変形例に従って、棚又はキャリアプレートのベアリング領域は、キャリアプレート又は棚と夫々一体に形成される。
他の実施形態の変形例において、ベアリング領域の少なくとも１つは、キャリアプレート又は棚に対応する形状の受け部に挿入可能、又は接続手段によって夫々キャリアプレート又は棚に取付け可能な別個の要素として形成される。
【００１３】
更なる実施形態の好ましい変形例に従って、ガイド、例えば並進運動方向に延びるスロットがベアリング領域の１つの上又は内に配置され、ガイド要素又は保持要素が他のベアリング領域の上又は内に配置される。例えば、ボアホールが１つのベアリング領域内に導入され、その中にガイドピン又は保持ピンが収容される。これにより、更に確実な案内を向上させるのに貢献する。更に、棚とキャリアプレートは、簡単な方法で互いに軸方向に保持することができる。
【００１４】
更なる実施形態の好ましい変形例に従って、閉じた周辺走行溝は、棚の支持領域の中心点及びキャリアプレートの支持領域の周りで、棚の並進運動の方向に沿ってキャリアプレートの前縁まで夫々導入される。
これにより、大きな接触面が可能になる。更に、このようにして、特に好ましい荷重吸収が得られ、装置全体の安定性も向上する。
【００１５】
ベース位置での棚の位置を改善するために、閉じた周辺走行溝は、好ましくは、ベース位置にあるローラ本体のための複数のキャッチポイントを有し、これらのキャッチポイントは、棚が１８０°回転するたびに到達する。
更なる有利な実施形態の変形例に従って、棚は、キャリアプレートに対して第１の回転方向及び反対の第２の回転方向に回転可能であり、これにより装置の操作性がさらに簡素化される。
装置の操作性の更なる簡素化は、棚がキャリアプレートに対して第１の回転方向及び反対の第２の回転方向に任意の角度で回転可能であることで達成される。
１つの好ましい実施形態の変形例によれば、キャリアプレートは格納空間に横向きに設置される。しかし、キャリアプレートを吊下げまたは垂直に立てることも考えられる。
【図面の簡単な説明】
【００１６】
本発明の好ましい例示的な実施形態が添付の図面に基づいて、以下により詳細に説明される。
【図１】本発明に従った装置の変形例の平面図である。
【図２】図１にてIIで特定される平面を通る断面図である。
【図３】図１にてIIで特定される平面を通る断面図である。
【図４】図１にて示された装置の分解斜視図である。
【図５】他の装置の変形例の分解斜視図であり、ベアリング領域が別の要素として形成されている。
【図６】別の要素として形成されたベアリング領域の斜視図である。
【図７】棚として形成された多数の物体を有する冷蔵庫又は冷凍庫の斜視図である。
【図８】棚として形成された多数の物体を有する戸棚の斜視図である。
【発明を実施するための形態】
【００１７】
以下の図面の記載において、上、下、左、右、前、後等の用語は、キャリアプレート、棚、ベアリング領域、ローラ本体、走行溝などのそれぞれの図で例として選択された図と位置のみを指す。これらの用語は制限的なものとして理解されるべきではない、即ち、これらの参照は、異なる動作位置または鏡面対称の設計などにより変化し得る。
【００１８】
図７に示す例示的な実施形態において、冷蔵庫１の格納空間１３内の従来のガラス底部パネルは、ベアリング領域５と物体を有するキャリアプレート３に置き換えられており、該物体はベアリング領域４を有する棚２の形であり、キャリアプレート３のベアリング領域５の上を回転移動可能且つ並行移動可能である。冷蔵庫１は本体１１から成り、その上にドア１２が回動可能に連結され、格納空間１３を閉じる。
【００１９】
従って、図８に示す例示的な実施形態にて、戸棚２０の格納空間２４内の従来の棚底パネルは、ベアリング領域５及び物体を有するキャリアプレート３に置き換えられており、該物体はベアリング領域４を有する棚２の形であり、キャリアプレート３のベアリング領域５の上を回転移動可能且つ並行移動可能である。戸棚２０は本体２１から成り、その上に２つのドア２２、２３が回動可能に連結され、格納空間１４を閉じる。
【００２０】
平面状のベアリング領域を有する板状棚として具体化されている回転可能及び並進可能に取り付けられた棚２は、冷蔵庫１で使用する場合に格納される冷蔵材料の格納面として利用可能であり、円の形状を有して、等しいサイズの２つの対向する円形セグメントが取り除かれている。従って、冷蔵材料に最適な格納表面が得られる。更に、棚２を操作し及び貯蔵された冷蔵材料を固定するためのハンドル及び保持要素２００が棚２に配置されている。
【００２１】
互いに対向するこれらのベアリング領域４、５のベアリング面は夫々、閉じた周辺走行溝４１、５１を有し、その中にローラ本体６が案内される。この場合、ローラ本体６は、好ましくはボールとして形成される。
走行溝４１、５１は、力がベアリング領域の平面で定義された方向Ａで棚２に作用する場合、棚２は積極的に誘導されて、基本位置から中間位置を介して、同時に回転移動可能及び並進移動可能であるように形作られ、棚２は、キャリアプレート３に対して第１の回転方向Ｒ１に回転し、所定の方向Ａに変位する。
【００２２】
１つの好ましい中間位置において、棚２は、基本位置に対して約９０°回転し、変位は所定の方向で最大に達する。
棚２は、回転方向Ｒ１にさらに回転することにより、基本位置に戻され、この目的のために、棚２は、キャリアプレート３に対して合計で１８０°回動され、所定の方向Ａとは反対に変位して基本位置に戻る。
或いは、棚２は、回転方向Ｒ１とは逆に回転方向Ｒ２で回転することにより、基本位置に戻される。方向Ａは、ここでは、夫々冷蔵庫１又は戸棚２０の格納空間１３、２４から出る方向を示す。
【００２３】
図４乃至図６に示すように、２つの閉じた周辺走行溝４４、４５が棚２のベアリング領域４内に導入される。正確には、１つの閉じた周辺走行溝５１が、キャリアプレート３のベアリング領域５に導入される。
２つの走行溝がキャリアプレート３のベアリング領域５に導入され、１つの走行溝が棚２のベアリング領域４に導入される、逆の構成も考えられる。
【００２４】
３つの走行溝４４、４５、５１は同一の構成であるのが好ましい。この場合、図４及び図５によく示されるように、棚のベアリング領域４の２つの走行溝４４の１つは、走行溝５１に対して鏡面配置の関係にある。２つの走行溝４５の他方は、走行溝４４に対して１８０°回転して形成され、並進運動の量だけ変位される。
棚２の閉じた周辺走行溝４４、４５、５１及び固定されたキャリアプレート３は、棚２の作動中にローラ本体６の積極的な案内、棚２の回転及び引き出しを同時に行う。
【００２５】
更に図２、図３、図４及び図５に示すように、ここではボールとして形成されたローラ本体６はローラ本体ケージ７内にて保持される。この場合、ローラ本体６は、好ましくは、ローラ本体ケージ７内に拘束的に保持される。この目的のために設けられたローラ本体ケージ７の開口部にローラ本体のみを案内することも考えられる。
キャリアプレート３を棚２に軸方向に固定するため、並進運動方向Ａに延びるスロットの形態のガイド８が、キャリアプレート３のベアリング領域５に導入される。棚２が同軸に固定されるように、ボアホール４６が棚２のベアリング領域４の中央に導入されている。この場合、ピン９の形態のガイド保持要素は、スロット８及びボアホール４６を通過し、従って、キャリアプレート３上の棚２の軸方向の固定を確実にする。キャリアプレート３とその上に載置されている棚２が水平に取り付けられている場合、軸方向の保護が省略される。複数の軸方向の安全保護又は具体化された異なる軸方向の安全保護も提供され得る。
【００２６】
図４に示される実施形態の変形では、ベアリング領域４、５は、それぞれ棚２またはキャリアプレート３と一体に形成され、走行溝４４、４５、５１は、棚２の下側またはキャリアプレート３の上側にそれぞれ直接導入されるが、図５に示す実施形態では、ベアリング領域４、５は、ベアリングプレート４２、５２の形の別個の要素として形成され、これらは、夫々棚２の下側またはキャリアプレート３の上側に固定され得る。
【００２７】
この目的から、締結受け部５４、４７が、ベアリングプレート４２、５２の横方向の縁に形成され、該締結受け部５４、４７にねじが挿入可能であり、締結受け部５４、４７を用いてベアリングプレート４２、５２は、夫々棚２またはキャリアプレート３に固定される。
ローラ本体６の負荷をできるだけ低く保ち、同時に走行溝を簡単に構成されることを可能にするために、ここで示す実施形態では、ボールとして形成された４つのそのようなローラ本体６が、走行溝４４、４５、５１に案内される。代わりに、２つまたは８つのローラ本体も提供され得る。
【００２８】
図４、図５及び図６に示すように、閉じた周辺走行溝４４、４５、５１は、棚のベアリング領域４の中心点及びキャリアプレート３のベアリング領域５を介して、キャリアプレート３の前端部内に、棚２の並進運動方向Ａに導入される。 
棚２がキャリアプレート３の前面の横方向の端から突き出ないベース位置で棚２を簡単にラッチすべく、閉じた周辺走行溝４４、４５、５１は、ベース位置にあるローラ本体６のための複数のキャッチポイント４３、５３を含む。このベース位置は、棚２が１８０°回転するたびに到達する。
更なる実施形態にて、選択された中間位置は、例えば、キャリアプレート３に対する棚２の９０°の回転位置上にキャッチポイントを持つ。
【００２９】
キャッチポイント４３、５３は、これらの位置から出てゆく移動のために、いくらか大きな力を加えることが必要とされるという点で区別される。この大きな力を加えることは、例えば、窪みまたは隆起した突起などを有する走行溝４４、４５、５１を対応して形成することによって達成される。力に影響を与える他の要素、例えば磁石も考えられる。ここに示されている走行溝４４、４５、５１の形成において、棚２は、キャリアプレート３に対して回転方向Ｒ１及び反対の回転方向Ｒ２に回転可能である。
【００３０】
更に、この走行溝４４、４５、５１の形成により、棚２を任意の角度で回転させることができる。従って、キャリアプレート３に対して回転方向Ｒ１に１８０°の第１の回転運動中に、且つ同じ回転方向Ｒ１に再び棚２を回転させる、或いは反対の回転方向Ｒ２に回転させる後続の作動中に、棚２を回転させることが可能である。
【００３１】
使用中に、ハンドル及び横方向の力の導入をもたらす保持要素２００を引っ張ることにより、ローラ本体６をキャッチポイント４３、５３から移動させ、棚２は右または左に回転する動きに設定される。同時に、棚２の回転運動に加えて、前方への並進運動が、確実にガイドされた方法でその終点まで実行される。更なる回転中に、後方への平行移動は、９０°位置と１８０°位置の間で再開され、１８０°回転した後、キャッチポイント４３、５３のベース位置に到達する。さらに１８０°回転すると、ベース位置に到達する。棚２の３６０°の回転及び並進運動のサイクル全体で、冷蔵材料の装備と冷蔵材料へのアクセスが可能である。
【００３２】
棚２の下側の閉じた走行溝の幾何学的形状及び棚２の夫々の中心点の周りのキャリアプレート３の上側に閉じた走行溝の幾何学的形状、及び棚２及びキャリアプレート３の前縁まで可能な限り夫々の中心点から可能な大きな間隔を有するキャリアプレート３の幾何学的形状故に、大きな接触面が実現され、これにより支持力が十分に吸収され、装置全体の安定性が向上する。
確実なガイドにより使用能力が向上し、コンパクトな構造により構造の高さが減少し、誤操作が防止される。左右に回転する無制限の移動角度により、３６０°の好ましい方向なしで任意の連続動作が可能になる。シンプルな構造により、生産コストが削減され、ガイド装置の堅牢性が向上する。
【００３３】
図７及び図８において、棚２は、約９０°の中間位置で方向Ａにキャリアプレート３の後縁を越えて突出しないことは明らかである。
図８に示す戸棚２０の例示的な実施形態に加えて、そのような回転及び並進移動可能な棚２をドレッサ又はローボードに設置することも考えられる。
クローゼットまたはワードローブとして設計された家具では、吊り布が正面に平行に掛けられることもまた考えられる。装置は、後ろにぶら下がっている物への簡単なアクセスを可能にする。
【００３４】
また、ショッピングモールの医療分野又は販売分野(冷蔵及び冷凍装置)での使用も考えられる。多くの小さなパッケージングユニットをその中に整理する必要がある。回転及び並進移動可能な棚２の前面及び後面領域へのアクセスオプションにより、判り易さが向上する。更に、前面と後面からアクセスできる場合、アクセスが容易になる。
カウンタートップの回転及び並進移動可能な棚２の使用も考えられる。棚２により、ここでは、コーヒーマシン、トースターなどのニッチ(例えば、傾斜屋根)にある家庭用器具を、必要な場合にのみ前方に移動させることができる。
一般に、トレイや箱のような実施形態が考えられる。水平及び/又は垂直構成のための組織化構成を有するトレイも考えられる。
ガイドは、垂直に吊り下げて、または垂直に吊り下げて行うことができる。
【符号の説明】
【００３５】
１      冷蔵庫又は冷凍庫
１１    本体
１２    ドア
１３    格納空間
２      棚
２００  ハンドル及び保持要素
３      キャリアプレート
４      ベアリング領域
４２    ベアリングプレート
４３    キャッチポイント
４４    走行溝
４５    走行溝
４６    ボアホール
４７    締結受け部
５      ベアリング領域
５１    走行溝
５２    ベアリングプレート
５３    キャッチポイント
５４    締結受け部
６      ローラ本体
７      ローラ本体ケージ
８      スロット
９      ガイド及び保持ピン
２０    戸棚
２１    本体
２２    ドア
２３    ドア
２４    格納空間
Ａ      方向
Ｒ１    回転方向
Ｒ２    回転方向
【図１】
2020516838.tif 000003
【図２】
2020516838.tif 000004
【図３】
2020516838.tif 000005
【図４】
2020516838.tif 000006
【図５】
2020516838.tif 000007
【図６】
2020516838.tif 000008
【図７】
2020516838.tif 000009
【図８】
2020516838.tif 000010
【国際調査報告】
2020516838.tif 000011
2020516838.tif 000012
2020516838.tif 000013
2020516838.tif 000014